(57)【特許請求の範囲】
【請求項１】
下記の要件を備えたことを特徴とするストラップ。
（イ）端部に吊下部材を設けたベルト部材と、結合部材および取付部材とから構成されていること。
（ロ）結合部材は可撓性を有する軟質剛性樹脂素材で形成されたベルト状の部材であり、一端は吊下部材に取り付けられ、他端は取付部材に取り付けられるようになっていること。
【請求項２】
下記の要件を備えたことを特徴とするストラップ。
（イ）端部に吊下部材を設けたベルト部材と、結合部材および取付部材とから構成されていること。
（ロ）吊下部材は、一端にベルト取付部を有した吊下体と、吊下体を保持するための保持部材とから構成されていること。
（ハ）結合部材は可撓性を有する軟質剛性樹脂素材で形成されたベルト状の部材であり、一端は保持部材又は取付部材にあらかじめ固定されており、他端は吊下体を介して取付部材または保持部材に取り付けられるようになっていること。
【請求項３】
取付部材が人形等の形態をなした装飾体であることを特徴とする請求項１または２記載のストラップ。
【発明の詳細な説明】
【０００１】
【産業上の利用分野】
本発明は、携帯電話等の機器を吊り下げるのに適した、ストラップに関するものである。
【０００２】
【従来の技術】
従来の携帯電話用ハンディーストラップは、携帯電話に形成されたストラップ取り付け用の孔に挿通して固定させるための細紐部と、手に持つための環状のベルト部とから構成されていた。また、当該ストラップは、単に携帯電話等の機器を吊り下げるためのものであった。
【０００３】
【発明が解決しようとする課題】
上記従来のストラップは、先端の細紐を係止孔に挿通させて固定させるものであるが、係止孔は狭く内部で折り曲げられているため、細紐を挿通させるのが面倒であった。
また、ストラップ自体は装飾の無い単なるベルトであり、面白みに欠けるものであった。せいぜい、装飾が施されているとしても、ベルトに刺繍や絵が書かれていたり、ベルト自体に別体の装飾品を固定する、一緒にぶら下げるといった程度であった。
【０００４】
本願発明は、上記の点に鑑み発明されたものであって、携帯電話への固定を容易にするとともに、ストラップの取付にともなって同時に装飾効果を有した部材を取り付けることが可能な、ストラップの構造を提供することを目的とする。
【０００５】
【課題を解決するための手段】
上記課題を解決するために、本願発明に係る請求項１記載のストラップは以下の構成を備えていることを特徴としている。すなわち、
（イ）端部に吊下部材を設けたベルト部材と、結合部材および取付部材とから構成されていること。
（ロ）結合部材は可撓性を有する軟質剛性樹脂素材で形成されたベルト状の部材であり、一端は吊下部材に取り付けられ、他端は取付部材に取り付けられるようになっていること。
【０００６】
上記課題を解決するために、本願発明に係る請求項２記載のストラップは以下の構成を備えていることを特徴としている。すなわち、
（イ）端部に吊下部材を設けたベルト部材と、結合部材および取付部材とから構成されていること。
（ロ）吊下部材は、一端にベルト取付部を有した吊下体と、吊下体を保持するための保持部材とから構成されていること。
（ハ）結合部材は可撓性を有する軟質剛性樹脂素材で形成されたベルト状の部材であり、一端は保持部材又は取付部材にあらかじめ固定されており、他端は吊下体を介して取付部材または保持部材に取り付けられるようになっていること。
【０００７】
上記課題を解決するために、本願発明に係る請求項３記載のストラップは、請求項１または２記載のストラップであって、取付部材が人形等の形態をなした装飾体であることを特徴とする。
【０００８】
【発明の実施の形態】
以下、本願発明の一実施の形態を図を用いて説明する。
はじめに図面について、簡単に説明する。図１は、本願発明に係るストラップの取付前の状態を表した斜視図である。図２は、本願発明に係るストラップを取付けた状態を表した断面図である。図３は、本願発明に係るストラップの他の形態を表す斜視図である。
図１において１は本願発明に係るストラップであり、当該ストラップ１は携帯電話３等の機器に取り付けて使用されるものである。
ストラップ１は、端部に吊下部材５を設けたベルト部材７と、結合部材９および取付部材１１とから構成されている。
【０００９】
ベルト部材７は、やや幅広の紐状体を環状に形成して端部を固定（固定部１３）し、大きな環状部１５と小さな環状部１７を形成した部材である。
環状部１５は、ストラップとして手を通したり把持したりする部分であり、環状部１７は吊下部材５を構成する吊下体１９を取り付けるために形成された部分である。
吊下部材５は、吊下体１９と保持部材２１とから構成されている。
吊下体１９は合成樹脂によって形成された板状の部材であり、一端が前記環状部１７に取り付けられるようになっている。また、吊下体１９の中央には円形の孔２３が設けられている。
保持部材２１は合成樹脂によって形成された部材であり、前記吊下体１９と略等しい大きさで形成された円形のフランジ部２５と、フランジ部２５の一側面に同心状に形成された筒状部２７と、筒上部２７の側面から突出するように設けられた結合部材９とから形成されている。
【００１０】
結合部材９は、可撓性を有する軟質剛性樹脂素材で形成されたベルト状の部材であり、一端は吊下部材５を構成する保持部材２１に固定され、他端は取付部材１１に取り付けられるようになっている。
結合部材９には、後述する取付部材１１の係止部２９に係合して抜け止めとなる逆止手段３１が設けられている。
取付部材１１は、本実施の形態では、その形態がマスコット人形のような造形として形成されているが、装飾体ではないその他の形態であってもよい。取付部材１１の底部には、前述した前記結合部材９の一端を差し込んで係止するための係止部２９が形成されている。
【００１１】
次に、ストラップ１の携帯電話３に対する取付方法を説明する。
第一に、ベルト部材７に取り付けられた吊下体１９に形成された孔２３に、保持部材２１に設けた結合部材９を通し、そのまま携帯電話３の取付孔３３の一方に差込み、その端部を他方から突出させる。ついで、マスコット人形のような取付部材１１の係止部２９に対して、突出した結合部材９の端部を差込む。
この状態で、図３（ａ）に示すように、結合部材９の逆止手段３１が、取付部材１１の係止部２９に係合して、簡単に抜け落ちないように、互いに強く結合する。
本実施の形態の場合には携帯電話３の上部に取付孔３３が設けられているので、その結果、携帯電話３の上部にマスコット人形が載っているような状態となる。一方、ベルト部材７に取り付けられた吊下体１９は、保持部材２１の筒上部２７に対して遊嵌された状態で取り付けられており、筒上部２７を軸として回転自在となるようになっている。
【００１２】
また、前記の例では、携帯電話が上部に取付孔を有しているために、マスコット人形の形態をした取付部材１１が携帯電話３の上部に載っているような状態となる場合を説明した。
これに対して、図２に示すように携帯電話４１の側面にストラップ用の取付孔４３が設けられているタイプの電話もある。このような電話に対しては、携帯電話４１の側面に取付部材４５を取付け可能とすることで、取付部材４５が例えばマスコット人形の形態であれば、携帯電話４１の側面にしがみついているような状態にみせることができる。
この場合、取付部材４５以外の他の部材は、前述の例と全く同一のものを使用することができる。取付部材４５については、側面から結合部材９を挿通可能とするために、側面に開口を有した係止部４７が形成されている。
以上の構造とすることにより、携帯電話の側面にマスコット人形が取り付けられているような状態で、本発明のストラップを取り付けることが可能となっている。
【００１３】
なお、マスコットとしての取付部材１１と、結合部材９との係合方法は、前述の例にとらわれることなく種々の方法が考えられ、手段の相違によらず、本発明の技術的範囲に属するものである。
図３（ｂ）にその一例を示すが、マスコット形状の取付部材５１に対して結合部材５３が差し込まれ、取付部材５１の外部からリベットのようなピン５５を結合部材５３を貫通した状態で差し込むことにより、取付部材５１と結合部材５３を互いに固定することができるようになっている。
【００１４】
また、本実施の形態では、結合部材９を吊下部材５に設ける構造を説明したが、取付部材１１に結合部材９を設けた構造としてもよい。この場合は、当然に吊下部材５側に結合部材９を係止する係止部が設けられることとなる。
さらに、前記実施の形態では、吊下部材を吊下体と保持部材の２部材から構成した例を説明したが、吊下部材を一つの部材として形成しても良い。
【００１５】
【発明の効果】
以下、本発明の請求項１記載の発明に関する効果を説明する。
すなわち、請求項１記載の発明では、結合部材が可撓性を有する軟質剛性樹脂素材によるベルト状の部材で形成されているので、携帯電話等のストラップ用の取付部に対して挿通させやすいという効果を有している。つまり、当該取付部は、内部で穴が直角に曲がっているため、従来のストラップでは細紐を通すことが非常に面倒な作業であったのに対して、本願発明の場合には細紐に相当する部分が軟質剛性樹脂素材によるベルト状の部材であるので、押し込むだけで簡単に取付部の穴を通すことができるものである。このように、従来あった問題点を解消することができたという効果を有している。
【００１６】
また、本発明の請求項２記載の発明は上記効果に加えて以下に述べる効果を有している。
従来の細紐タイプのストラップでは、電話に対する取付部分が自由に屈曲可能であり柔軟性を有していたのに対して、この部分を樹脂部材で形成することは、この柔軟性を損なうこととなってしまう。しかし、吊下部材が吊下体と保持部材とから構成されており、互いに回動可能となっていることから、樹脂部材を用いたことによる柔軟性の欠如を補う効果を有している。
【００１７】
また、本発明の請求項３記載の発明は上記効果に加えて以下に述べる効果を有している。
従来は、携帯電話を装飾しようとした場合、ストラップに他の樹脂部材を取り付ける、あるいは種々のアクセサリーを一緒に吊り下げるという方法が行われており、ストラップとは別の物品を必要としていた。しかし、本願発明では、ストラップを取り付けるための部材そのものが装飾体となっているので、特に他の物品を必要とすることなく携帯電話を装飾することができるという効果を有している。
【図面の簡単な説明】
【図１】本願発明に係るストラップの取付前の状態を表した斜視図である。
【図２】本願発明に係るストラップの取付状態を表した断面図である。
【図３】本願発明に係るストラップの他の形態を表す斜視図である。
【符号の説明】
１  ストラップ
３  携帯電話
５  吊下部材
７  ベルト部材
９  結合部材
１１  取付部材
１３  固定部
１５  環状部
１７  環状部
１９  吊下体
２１  保持部材
２３  孔
２５  フランジ部
２７  筒上部
２９  係止部
３１  逆止手段
３３  取付孔
４１  携帯電話
４３  取付孔
４５  取付部材
４７  係止部
【図１】
0003737934.tif 000002
【図２】
0003737934.tif 000003
【図３】
0003737934.tif 000004